【手続補正書】
【提出日】平成18年4月5日(2006.4.5)
【手続補正１】
【補正対象書類名】明細書
【補正対象項目名】発明の名称
【補正方法】変更
【補正の内容】
【発明の名称】指定地関連情報取得方法、中継装置、情報提供装置及び端末装置
【手続補正２】
【補正対象書類名】明細書
【補正対象項目名】特許請求の範囲
【補正方法】変更
【補正の内容】
【特許請求の範囲】
【請求項１】  外部から提供される情報を取得可能な端末と、それぞれに固有の提供情報を保有する複数のサーバ装置と、前記端末と各前記サーバ装置との間で通信すべき提供情報の中継を行う中継装置と、を有する情報提供システムにおいて、
指定地の情報を入手するため指定地を特定する住所を入力するに際し、前記端末から情報提供のための要求情報として前記指定地を特定する住所の一部を入力し、前記中継装置を介して前記サーバ装置に送信し、該サーバ装置は前記指定地を特定する住所の一部がカバーするすべての住所を前記中継装置に送信し、該中継装置は該送信された住所を加工して該送信された住所のうち共通する部分までを前記端末に送信する、指定地関連情報取得方法。
【請求項２】  前記端末において前記中継装置から送信された住所のうち共通する部分に続けて住所を追加入力し、要求情報として前記中継装置を介してサーバ装置に送信し、該サーバ装置から該追加入力した住所の座標値、又は代表座標値を前記端末に送信する、請求項１に記載の指定地関連情報取得方法。
【請求項３】  外部から提供される情報を取得可能な端末と、それぞれに固有の提供情報を保有する複数のサーバ装置と、前記端末と各前記サーバ装置との間で通信すべき提供情報の中継を行う中継装置と、を有する情報提供システムにおいて、
指定地の情報を入手するため指定地を特定する住所を入力するに際し、前記端末から情報提供のための要求情報として前記指定地を特定する住所の一部を入力し、前記中継装置を介して前記サーバ装置に送信し、該サーバ装置は前記指定地を特定する住所の一部がカバーするすべての住所を前記中継装置に送信し、該中継装置は該送信された住所を加工して該送信された住所のうち一部の住所に共通する部分を有する複数の住所を前記端末に送信する、指定地関連情報取得方法。
【請求項４】  前記端末において前記中継装置から送信された複数の住所のうちから所望の住所を選択し、該選択された住所に続けて追加入力し、要求情報として前記中継装置を介してサーバ装置に送信し、該サーバ装置から該追加入力した住所の座標値、又は代表座標値を前記端末に送信する、請求項３に記載の指定地関連情報取得方法。
【請求項５】  端末から情報提供のための要求情報として地点を特定する地点特定情報を受信してサーバ装置に送信する上り側送受信手段と、
サーバから前記地点特定情報により特定される住所情報を受信する下り側受信手段と、
前記下り側受信手段で受信された住所情報を共通化するように加工して共通化住所情報を生成する加工手段と、
前記加工手段により加工された共通化住所情報を端末に送信する下り側送信手段を備えることを特徴とする中継装置。
【請求項６】  端末から情報提供のための要求情報として地点を特定する地点特定情報を受信する要求情報受信手段と、
前記地点特定情報により特定される住所情報を共通化するように加工して共通化住所情報を生成する加工手段と、
前記加工手段により加工された共通化住所情報を端末に送信する応答情報送信手段を備えることを特徴とする情報提供装置。
【請求項７】  端末から情報提供のための要求情報として地点を特定する地点特定情報と地図のスケール情報を受信する要求情報受信手段と、
該要求情報受信手段で受信した地点特定情報をサーバ装置に送信する上り側送信手段と、
サーバから前記地点特定情報により特定される地図情報を受信する下り側受信手段と、
前記下り側受信手段で受信された地図情報を前記スケール情報に基づき加工する加工手段と、
前記加工手段により加工された地図情報を端末に送信する地図情報送信手段を備えることを特徴とする中継装置。
【請求項８】  端末から情報提供のための要求情報として地点を特定する地点特定情報と地図のスケール情報を受信する要求情報受信手段と、
該要求情報受信手段で受信した地点特定情報をサーバ装置に送信する上り側送信手段と、
サーバから前記地点特定情報により特定される施設情報を受信する下り側受信手段と、
前記下り側受信手段で受信された施設情報を前記スケール情報に基づき加工する加工手段と、
前記加工手段により加工された施設情報を端末に送信する施設情報送信手段を備えることを特徴とする中継装置。
【請求項９】  端末から情報提供のための要求情報として地点を特定する地点特定情報と地図のスケール情報を受信する要求情報受信手段と、
前記地点特定情報により特定される地図情報を前記スケール情報に基づき加工する加工手段と、
前記加工手段により加工された地図情報を端末に送信する地図情報送信手段を備えることを特徴とする情報提供装置。
【請求項１０】  端末から情報提供のための要求情報として地点を特定する地点特定情報と地図のスケール情報を受信する要求情報受信手段と、
前記地点特定情報により特定される施設情報を前記スケール情報に基づき加工する加工手段と、
前記加工手段により加工された施設情報を端末に送信する地図情報送信手段を備えることを特徴とする情報提供装置。
【請求項１１】  情報提供のための要求情報として地点を特定する地点特定情報を中継装置に送信する送信手段と、
該中継装置からの前記地点特定情報に応じた住所情報が加工されて得られた共通化住所情報を受信する受信手段と、
前記共通化住所情報に詳細住所情報を追加するための追加入力手段と、
前記詳細情報が付加された住所情報を、当該住所情報に対応する地点情報を得るために中継装置に送信する再送信手段を備えたことを特徴とする端末装置。
【請求項１２】  情報提供のための要求情報として地点を特定する地点特定情報地図のスケール情報を受信する要求情報受信手段を送信する要求情報送信手段と、
前記要求情報に基づき加工された特定地点に応じた地図情報を受信する地図情報受信手段とを備えたことを特徴とする端末装置。
【請求項１３】  情報提供のための要求情報として地点を特定する地点特定情報地図のスケール情報を受信する要求情報受信手段を送信する要求情報送信手段と、
前記要求情報に基づき加工された特定地点に応じた施設情報を受信する地図情報受信手段とを備えたことを特徴とする端末装置。
【手続補正３】
【補正対象書類名】明細書
【補正対象項目名】０００１
【補正方法】変更
【補正の内容】
【０００１】
【発明の属する技術分野】
本発明は、サーバが有するデータベースに含まれる目的地等の指定地関連の地図や施設等の情報を、端末からの要求に応じて取得する指定地関連情報を取得する方法、中継装置、情報提供装置及び端末装置に関し、特に目的地等の指定地を設定するための方法に関する。
【手続補正４】
【補正対象書類名】明細書
【補正対象項目名】０００３
【補正方法】変更
【補正の内容】
【０００３】
【発明が解決しようとする課題】
目的地等の特定の指定地点に関する情報を取得したい場合、その地点の住所の一部しか知らない等、その地点を明確に特定できない場合がある。また、その地点の住所を知っていても住所を完全な形で入力すると手間がかかってしまう。
本発明は、目的地等の指定地に係る情報を取得したい場合、指定地を特定するために必要な住所を完全な形で入力しなくても、住所の一部、あるいは郵便番号や電話番号を入力することにより指定地を特定し、指定地に関連する情報を取得する方法、中継装置、情報提供装置及び端末装置を提供するものである。
また、指定地の住所を取得する場合、郵便番号等がカバーする住所を全て端末に出力するのではなく、途中で加工して必要な情報に絞り、送信するデータ量を少なくする方法を提供するものである。